【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
光学素子と、
前記光学素子を覆うように配置され、開口部を有する第一部材と、
前記光学素子を介して前記第一部材に対向するように配置され、前記第一部材とともに前記光学素子を収容する第二部材と、
前記開口部を覆い、光を透過する第三部材と、
前記第一部材を被覆する金属と、
を含み、
前記第三部材から前記開口部の側を見たとき、前記第一部材の前記第三部材の側において、前記金属は前記第三部材と重ならないことを特徴とする光学デバイス。
【請求項２】
請求項１に記載の光学デバイスにおいて、
前記第三部材は前記第一部材に接合されたことを特徴とする光学デバイス。
【請求項３】
請求項１に記載の光学デバイスにおいて、
前記金属はメッキ法で形成されたことを特徴とする光学デバイス。
【請求項４】
請求項１に記載の光学デバイスにおいて、
前記第三部材は、低融点ガラスを介して前記第一部材に接合されたことを特徴とする光学デバイス。
【請求項５】
請求項４に記載の光学デバイスにおいて、
前記低融点ガラスの前記第三部材及び前記第一部材に接しない面を覆う樹脂部材をさらに含むことを特徴とする光学デバイス。
【請求項６】
請求項５に記載の光学デバイスにおいて、
前記第三部材は、前記第一部材に対向する第１面と、前記第１面から当該第三部材の外周縁側に連続し、当該第三部材の外周縁に向かうに従って前記第一部材から離れる方向に傾斜する第２面と、を備え、
前記低融点ガラスは、前記第１面と前記第一部材との間に配置され、
前記樹脂部材は、前記第２面に接していることを特徴とする光学デバイス。
【請求項７】
請求項１に記載の光学デバイスにおいて、
前記第三部材は、ガラスであり、
前記第一部材は、コバールであり、
前記金属は、ニッケルを含むことを特徴とする光学デバイス。
【請求項８】
請求項１に記載の光学デバイスにおいて、
前記光学素子は、互いに対向する一対の反射膜を備えた干渉フィルターであることを特徴とする光学デバイス。
【請求項９】
互いに対向する一対の反射膜を備えた干渉フィルターと、開口部を有する第一部材と、前記干渉フィルターを介して前記第一部材に対向するように配置され、前記第一部材とともに前記干渉フィルターを収容する第二部材と、前記開口部を覆い、光を透過する第三部材と、前記第一部材を被覆する金属と、を含む光学デバイスと、
前記干渉フィルターから出射された光を受光する受光部と、を備え、
前記第三部材から前記開口部の側を見たとき、前記第一部材の前記第三部材の側において、前記金属は前記第三部材と重ならないことを特徴とする光学モジュール。
【請求項１０】
互いに対向する一対の反射膜を備えた干渉フィルターと、開口部を有する第一部材と、前記干渉フィルターを介して前記第一部材に対向するように配置され、前記第一部材とともに前記干渉フィルターを収容する第二部材と、前記開口部を覆い、光を透過する第三部材と、前記第一部材を被覆する金属と、を含む光学デバイスと、
前記干渉フィルターを制御する制御部と、を備え、
前記第三部材から前記開口部の側を見たとき、前記第一部材の前記第三部材の側において、前記金属は前記第三部材と重ならないことを特徴とする電子機器。
【請求項１１】
開口部を有する第一部材と、
前記第一部材とともに光学素子を収容するための第二部材と、
前記開口部を覆い、光を透過する第三部材と、
前記第一部材を被覆する金属と、
を含み、
前記第三部材から前記開口部の側を見たとき、前記第一部材の前記第三部材の側において、前記金属は前記第三部材と重ならないことを特徴とする光学筐体。
【請求項１２】
開口部を有する第一部材と、前記第一部材とともに光学素子を収容するための第二部材と、前記開口部を覆い、光を透過する第三部材と、前記第一部材を被覆する金属と、を含み、前記第三部材から前記開口部の側を見たとき、前記第一部材の前記第三部材の側において、前記金属は前記第三部材と重ならない光学筐体の製造方法であって、
前記第一部材の第二領域に金属をメッキする工程と、
前記第三部材を前記第一部材の第一領域に接合する工程と、
を含み、
前記第三部材から前記開口部の側を見たとき、前記第一領域は前記第三部材の外周縁と前記開口部の開口縁との間の領域を含み、
前記第二領域は前記第一領域以外の領域であることを特徴とする光学筐体の製造方法。
【手続補正２】
【補正対象書類名】明細書
【補正対象項目名】０００６
【補正方法】変更
【補正の内容】
【０００６】
本発明の一態様の光学デバイスは、光学素子と、前記光学素子を覆うように配置され、開口部を有する第一部材と、前記光学素子を介して前記第一部材に対向するように配置され、前記第一部材とともに前記光学素子を収容する第二部材と、前記開口部を覆い、光を透過する第三部材と、前記第一部材を被覆する金属と、を含み、前記第三部材から前記開口部の側を見たとき、前記第一部材の前記第三部材の側において、前記金属は前記第三部材と重ならないことを特徴とする。
また、本発明の光学デバイスにおいて、前記第三部材は前記第一部材に接合されたことを特徴とする。
また、本発明の光学デバイスにおいて、前記金属はメッキ法で形成されたことを特徴とする。
また、本発明の光学デバイスは、光受光面又は光出射面を有する光学素子と、開口部を有する第一部材と、前記第一部材とともに前記光学素子を収容可能な収容空間を形成する第二部材と、前記開口部を覆い、前記第一部材に接合された透光部材と、前記第一部材に設けられた金属メッキと、を備え、前記金属メッキは、前記開口部の開口面に対する法線方向から見た平面視において、前記透光部材の外周縁よりも前記開口部から離れる側に所定寸法離れた位置に設けられていることを特徴とする。
【手続補正３】
【補正対象書類名】明細書
【補正対象項目名】００１４
【補正方法】変更
【補正の内容】
【００１４】
本発明の光学モジュールは、互いに対向する一対の反射膜を備えた干渉フィルターと、開口部を有する第一部材と、前記干渉フィルターを介して前記第一部材に対向するように配置され、前記第一部材とともに前記干渉フィルターを収容する第二部材と、前記開口部を覆い、光を透過する第三部材と、前記第一部材を被覆する金属と、を含む光学デバイスと、前記干渉フィルターから出射された光を受光する受光部と、を備え、前記第三部材から前記開口部の側を見たとき、前記第一部材の前記第三部材の側において、前記金属は前記第三部材と重ならないことを特徴とする。
上記の本発明に係る本発明の光学モジュールは、互いに対向する一対の反射膜を備えた干渉フィルター、開口部を有する第一部材、前記第一部材とともに前記干渉フィルターを収容可能な収容空間を形成する第二部材、前記開口部を覆い、前記第一部材に接合された透光部材、及び前記第一部材に設けられた金属メッキ、を備えた光学デバイスと、前記干渉フィルターから出射された光を受光する受光部と、を備え、前記金属メッキは、前記開口部の開口面に対する法線方向から見た平面視において、前記透光部材の外周縁よりも前記開口部から離れる側に所定寸法離れた位置に設けられていることを特徴とする。
本発明では、上記発明と同様に光学デバイスにおける第一部材及び透光部材の接合強度、気密性の向上を図ることができ、光学デバイスの内部を適切な環境に維持できる。したがって、干渉フィルターの性能低下を抑制でき、干渉フィルターから所望波長の光を高い分解能で出射させることができる。これにより、光学モジュールにおいても、受光部で前記所望波長の光の正確な光量を検出することができる。
【手続補正４】
【補正対象書類名】明細書
【補正対象項目名】００１５
【補正方法】変更
【補正の内容】
【００１５】
本発明の一態様の電子機器は、互いに対向する一対の反射膜を備えた干渉フィルターと、開口部を有する第一部材と、前記干渉フィルターを介して前記第一部材に対向するように配置され、前記第一部材とともに前記干渉フィルターを収容する第二部材と、前記開口部を覆い、光を透過する第三部材と、前記第一部材を被覆する金属と、を含む光学デバイスと、前記干渉フィルターを制御する制御部と、を備え、前記第三部材から前記開口部の側を見たとき、前記第一部材の前記第三部材の側において、前記金属は前記第三部材と重ならないことを特徴とする。
上記の本発明に係る電子機器は、互いに対向する一対の反射膜を備えた干渉フィルター、開口部を有する第一部材、前記第一部材とともに前記干渉フィルターを収容可能な収容空間を形成する第二部材、前記開口部を覆い、前記第一部材に接合された透光部材、及び前記第一部材に設けられた金属メッキ、を備えた光学デバイスと、前記干渉フィルターを制御する制御部と、を備え、前記金属メッキは、前記開口部の開口面に対する法線方向から見た平面視において、前記透光部材の外周縁よりも前記開口部から離れる側に所定寸法離れた位置に設けられていることを特徴とする。
本発明では、上記発明と同様に光学デバイスにおける第一部材及び透光部材の接合強度及び気密性の向上を図ることができ、光学デバイスの内部を適切な環境に維持できる。したがって、制御部により干渉フィルターを制御する際に、精度の高い制御を実施することができ、電子機器の機器性能を高めることができる。
【手続補正５】
【補正対象書類名】明細書
【補正対象項目名】００１６
【補正方法】変更
【補正の内容】
【００１６】
本発明の一態様の光学筐体は、開口部を有する第一部材と、前記第一部材とともに光学素子を収容するための第二部材と、前記開口部を覆い、光を透過する第三部材と、前記第一部材を被覆する金属と、を含み、前記第三部材から前記開口部の側を見たとき、前記第一部材の前記第三部材の側において、前記金属は前記第三部材と重ならないことを特徴とする。
上記の本発明に係る光学筐体は、開口部を有する第一部材と、前記開口部を覆い、前記第一部材に接合された透光部材と、前記第一部材に設けられた金属メッキと、を備え、前記金属メッキは、前記開口部の開口面に対する法線方向から見た平面視において、前記透光部材の外周縁よりも前記開口部から離れる側に所定寸法離れた位置に設けられていることを特徴とする。
本発明では、上述した発明と同様に、第一部材の第一領域内において、透光部材が接合部材により接合され、第二領域に金属メッキが設けられている。このため、接合部材と金属メッキとが接触することによる、金属メッキのクラックや、接合部材のクラックがない。また、接合部材のフィレットを第一領域内に設けることも可能となり、フィレットが形成された場合でも、当該フィレットが金属メッキに接することがない。したがって、金属メッキによる第一部材の耐食性を維持できるとともに、第一部材及び透光部材の接合強度及び気密性の向上を図れる。
【手続補正６】
【補正対象書類名】明細書
【補正対象項目名】００１７
【補正方法】変更
【補正の内容】
【００１７】
本発明の一態様の光学筐体の製造方法は、開口部を有する第一部材と、前記第一部材とともに光学素子を収容するための第二部材と、前記開口部を覆い、光を透過する第三部材と、前記第一部材を被覆する金属と、を含み、前記第三部材から前記開口部の側を見たとき、前記第一部材の前記第三部材の側において、前記金属は前記第三部材と重ならない光学筐体の製造方法であって、前記第一部材の第二領域に金属をメッキする工程と、前記第三部材を前記第一部材の第一領域に接合する工程と、を含み、前記第三部材から前記開口部の側を見たとき、前記第一領域は前記第三部材の外周縁と前記開口部の開口縁との間の領域を含み、前記第二領域は前記第一領域以外の領域であることを特徴とする。
上記の本発明に係る光学筐体の製造方法は、開口部を有する第一部材、前記開口部を覆い、前記第一部材に接合された透光部材、及び前記第一部材に設けられた金属メッキを備えた光学筐体の製造方法であって、前記第一部材は、前記開口部の開口面に対する法線方向から見た平面視において、前記透光部材の外周縁よりも前記開口部から離れる側に所定寸法離れ、かつ前記透光部材の外周縁に沿ったラインと、前記開口部の開口縁との間の第一領域、及び前記第一領域以外の第二領域を有し、当該製造方法は、前記第一部材の前記第二領域に前記金属メッキを形成するメッキ工程と、前記開口部を覆う前記透光部材を前記第一部材の前記第一領域に接合する接合工程と、を実施することを特徴とする。
本発明では、メッキ工程により、第二領域に金属メッキを形成する。このメッキの形成方法としては、例えば第一部材全体に金属メッキを形成した後、エッチングや研磨等の各種手法により第一領域の前記メッキを除去してもよく、例えば第一領域に対応する部分をマスクした後、前記メッキを形成してもよい。そして、接合工程において、第一領域内で透光部材と第一部材とを接合部材により接合する。ここで、第一領域は、透光部材の外周縁よりも所定寸法外側に離れたラインから、開口部の開口縁までの領域に設定されている。したがって、透光部材の外周縁に沿ってフィレットを形成した場合でも、当該フィレットが金属メッキに接することがなく、フィレット及び金属メッキの接触による接合部材のクラックがない。これにより、第一部材及び透光部材を強い接合強度、高い実気密性で接合することができる。